(57)【要約】【課題】冷房運転時における冷気の風速を高めて部屋のより隅々まで冷気を到達させ、部屋内での温度分布ばらつきを小さくすることができる空気調和装置の室内機を提供する。【解決手段】室内機１１は、軸方向が略水平に配置された第１の回動軸２７を中心に回動可能にケーシング１７に取り付けられ、吹出口１５の下部を開閉可能な第１のフラップ２３と、軸方向が略水平に配置された第２の回動軸２９を中心に回動可能にケーシング１７に取り付けられ、吹出口１５の上部を開閉可能であり、軸方向に垂直な方向の略中央に第２の回動軸２９を配置した第２のフラップ２５と、冷房運転時に、第１のフラップ２３により吹出口１５の前記下部を閉じた状態とし、第２のフラップ２５により吹出口１５の前記上部を開いた状態とする制御手段を備えている。【選択図】図４
2010112600.tif 000002
【特許請求の範囲】
【請求項１】
吸込口（１３）および吹出口（１５）を有するケーシング（１７）と、
前記ケーシング（１７）内に配置された熱交換器（１９）と、
前記ケーシング（１７）内に配置され、空気を前記吸込口（１３）から吸い込み、前記熱交換器を通して前記吹出口（１５）から吹き出す送風機（２１）と、
軸方向が略水平に配置された第１の回動軸（２７）を中心に回動可能に前記ケーシング（１７）に取り付けられ、前記吹出口（１５）の下部を開閉可能な第１のフラップ（２３）と、
軸方向が略水平に配置された第２の回動軸（２９）を中心に回動可能に前記ケーシング（１７）に取り付けられ、前記吹出口（１５）の上部を開閉可能であり、前記軸方向に垂直な方向の略中央に前記第２の回動軸（２９）を配置した第２のフラップ（２５）と、
冷房運転時に、前記第１のフラップ（２３）により前記吹出口（１５）の前記下部を閉じた状態とし、前記第２のフラップ（２５）により前記吹出口（１５）の前記上部を開いた状態とする制御手段と、を備えた空気調和装置の室内機。
【請求項２】
前記制御手段は、前記冷房運転時に、前記吹出口（１５）の前記上部から吹き出す空気を前記第２のフラップ（２５）により略水平方向へ案内するように、前記第２のフラップ（２５）の回動位置を調節する、請求項１に記載の空気調和装置の室内機。
【請求項３】
前記制御手段は、前記冷房運転時に、前記第１のフラップ（２３）の下端辺と前記吹出口（１５）の周縁部との隙間を塞ぐように前記第１のフラップ（２３）の回動位置を調節する、請求項１または２に記載の空気調和装置の室内機。
【請求項４】
前記制御手段は、暖房運転時に、前記第１のフラップ（２３）および第２のフラップ（２５）により前記吹出口（１５）の前記下部および前記上部を開いた状態とし前記吹出口（１５）から吹き出す空気を下方ないし斜め下方に案内するように、前記第１のフラップ（２３）および第２のフラップ（２５）の回動位置を調節する、請求項１〜３のいずれかに記載の空気調和装置の室内機。
【請求項５】
前記吹出口（１５）を前記ケーシング（１７）の正面に配置した天吊り型である、請求項１〜４のいずれかに記載の空気調和装置の室内機。
【請求項６】
前記送風機（２１）が遠心ファンである、請求項１〜５のいずれかに記載の空気調和装置の室内機。
【請求項７】
前記第１のフラップ（２３）の外表面は、鉛直方向の断面が略円弧形状の凸面である、請求項１〜６のいずれかに記載の空気調和装置の室内機。
【請求項８】
請求項１〜７のいずれかに記載の室内機（１１）と、室外機とを備えた空気調和装置。
【発明の詳細な説明】
【技術分野】
【０００１】
本発明は、空気調和装置の室内機およびこれを備えた空気調和装置に関するものである。
【背景技術】
【０００２】
空気調和装置の室内機は、吸込口および吹出口を有するケーシング内に熱交換器、送風機などを備え、吹出口にはフラップが回動可能に取り付けられている。このフラップは、その向きを変えることによって送風方向を調節することができるので、従来から、冷房運転、暖房運転などの運転モードに応じたフラップの制御技術が種々提案されている。
【０００３】
例えば特許文献１には、冷房運転時に「下風向変更羽根」および「上風向変更羽根」を水平となる位置に配置して、吹出口から冷風を横方向に吹出す壁掛け型の室内機が開示されている。この室内機によれば、冷房運転時の温度分布を良好にできる、とされている。
【０００４】
特許文献２には、冷房運転時に各水平案内羽根を回動させて水平方向への吹き出しと下方への吹き出しとを交互に繰り返すようにし、水平方向への吹き出し時には吹出通路を吹き出し方向に向かって「幅狭」に形成する一方、下方への吹き出し時には吹出通路を吹き出し方向に向かって「幅広」に形成するように各水平案内羽根を回動させる壁掛け型の室内機が開示されている。この室内機によれば、室内の温度分布を改善し、これによって利用快適性を確実に向上させることが可能である、とされている。
【０００５】
特許文献３には、一面が凹形状に他面が凸形状に形成された「主風向偏向翼」と「副風向偏向翼」とを備えた壁掛け型の室内機が開示されている。この室内機では、主風向偏向翼は、凹形状の面が吹き出し口の壁面側に向けられ、副風向偏向翼は、水平方向吹き出しの場合には凹形状の面が主風向偏向翼の凹形状の面と同じ方向に向けられ、下方向吹き出しの場合には凹形状の面が主風向偏向翼の凹形状の面と逆方向に向けられる。これにより、いかなる吹き出し方向でも副風向偏向翼の近傍で渦などの発生がなく吹き出し圧力損失がほとんどなくなり、そのため吹き出し風量が増大し、速暖、速冷性に優れ、気流が遠くまで到達し、快適環境を提供できる、とされている。
【特許文献１】特開平２−１７６３４７号公報
【特許文献２】特許第２９８５７５５号公報
【特許文献３】特許第３３０２９０６号公報
【発明の開示】
【発明が解決しようとする課題】
【０００６】
通常、冷房運転時には、室内の温度分布を改善するために冷気を室内のより遠くまで到達させることが望まれている。しかしながら、特許文献１〜３に記載の室内機では、冷気の風速を高めるのが難しく、特に比較的大きな室内に設置した場合に冷気を室内の奥の方まで到達させるだけの十分な風速が得られるとは言えない。したがって、冷房運転時における室内の温度分布には依然として改善の余地があった。
【０００７】
そこで、本発明は、かかる点に鑑みてなされたものであり、その目的とするところは、冷房運転時における室内の温度分布を改善することができる空気調和装置の室内機およびこれを備えた空気調和装置を提供することにある。
【課題を解決するための手段】
【０００８】
本発明の空気調和装置の室内機は、吸込口（１３）および吹出口（１５）を有するケーシング（１７）と、前記ケーシング（１７）内に配置された熱交換器（１９）と、前記ケーシング（１７）内に配置され、空気を前記吸込口（１３）から吸い込み、前記熱交換器を通して前記吹出口（１５）から吹き出す送風機（２１）と、軸方向が略水平に配置された第１の回動軸（２７）を中心に回動可能に前記ケーシング（１７）に取り付けられ、前記吹出口（１５）の下部を開閉可能な第１のフラップ（２３）と、軸方向が略水平に配置された第２の回動軸（２９）を中心に回動可能に前記ケーシング（１７）に取り付けられ、前記吹出口（１５）の上部を開閉可能であり、前記軸方向に垂直な方向の略中央に前記第２の回動軸（２９）を配置した第２のフラップ（２５）と、冷房運転時に、前記第１のフラップ（２３）により前記吹出口（１５）の前記下部を閉じた状態とし、前記第２のフラップ（２５）により前記吹出口（１５）の前記上部を開いた状態とする制御手段と、を備えている。
【０００９】
この構成では、冷房運転時に、第１のフラップ（２３）により吹出口（１５）の下部を閉じた状態とし、第２のフラップ（２５）により吹出口（１５）の上部を開いた状態とする。すなわち、吹出口（１５）が第１のフラップ（２３）の面積分だけ塞がれた状態となるので、吹出口（１５）の開口面積を大幅に小さくした状態で冷気を吹き出すことができる。これにより、従来の室内機と比較して冷気の風速を高めることができるので、冷気を室内のより遠くまで到達させることができる。その結果、室内の温度分布が改善され、室内の温度ばらつきを小さくすることができる。
【００１０】
しかも、この構成では、第２のフラップ（２５）における第２の回動軸（２９）の取付位置は、第２の回動軸（２９）の軸方向に垂直な方向の略中央であるので、回動軸が第２のフラップの上端部に取り付けられている場合と比較して、第２のフラップ（２５）を回動させて第２のフラップ（２５）の向きを変えても吹出口（１５）の開口面積の変動を少なく抑えることができる。したがって、上記のように冷気の風速を高めた冷房運転を行う際に、冷気の風速を維持しつつ風向きを変えることもできる。このように冷気を室内の奥の方に到達させるだけの風速を維持しつつ風向きを変えることができるので、さらなる温度分布の改善が可能になる。
【００１１】
前記制御手段は、前記冷房運転時に、前記吹出口（１５）の前記上部から吹き出す空気を前記第２のフラップ（２５）により略水平方向へ案内するように、前記第２のフラップ（２５）の回動位置を調節するのが好ましい。
【００１２】
この構成では、冷房運転時に、吹出口（１５）の前記上部から吹き出す空気を第２のフラップ（２５）により略水平方向へ案内するように、第２のフラップ（２５）の回動位置が調節されるので、冷気を室内のより遠くまで到達させたうえで、その冷気を下方に降下させる理想的な空気の循環経路の形成に貢献できる。
【００１３】
前記制御手段は、前記冷房運転時に、前記第１のフラップ（２３）の下端辺と前記吹出口（１５）の周縁部との隙間を塞ぐように前記第１のフラップ（２３）の回動位置を調節するのが好ましい。
【００１４】
この構成では、冷房運転時に、第１のフラップ（２３）の下端辺と吹出口（１５）の周縁部との隙間を塞ぐように第１のフラップ（２３）の回動位置が調節されるので、第１のフラップ（２３）の下端辺と吹出口（１５）の周縁部との隙間から冷気が吹き出してフラップの下端辺および吹出口（１５）の周縁部が過度に冷却されるのを抑制できる。これにより、フラップの下端辺および吹出口（１５）の周縁部が結露するのを抑制できる。
【００１５】
前記制御手段は、暖房運転時に、前記第１のフラップ（２３）および第２のフラップ（２５）により前記吹出口（１５）の前記下部および前記上部を開いた状態とし前記吹出口（１５）から吹き出す空気を下方ないし斜め下方に案内するように、前記第１のフラップ（２３）および第２のフラップ（２５）の回動位置を調節するのが好ましい。
【００１６】
この構成では、暖房運転時には、第１および第２のフラップ（２５）により吹出口（１５）の前記下部および前記上部を両方とも開き、吹出口（１５）の開口面積を大きくして風速を低下させた状態で暖かい空気を下方ないし斜め下方に吹き出す。これにより、暖かい空気によって利用者が不快に感じるドラフト感を和らげることができる。
【００１７】
本発明の室内機は、前記吹出口（１５）を前記ケーシング（１７）の正面に配置した天吊り型に好適である。例えば特許文献１〜３に記載されているような壁掛け型の室内機では、通常、吹出口が下方ないし斜め下方に開口しているので、上下のフラップを両方とも水平方向に向けるだけで吹出口の開口面積がある程度小さくなる（例えば特許文献２の図２参照）。しかし、吹出口がケーシングの正面に配置される天吊り型の室内機では、吹出口が正面に開口しているので、上下のフラップを単に水平方向に向けるだけでは吹出口の開口面積はほとんど小さくならない。一方、本発明の室内機では、第１のフラップ（２３）により吹出口（１５）の前記下部を閉じて吹出口（１５）の開口面積を第１のフラップ（２３）の面積分だけ小さくするので、吹出口（１５）がケーシング（１７）の正面に配置された天吊り型の室内機であっても吹出口（１５）の開口面積を大幅に小さくすることができる。しかも、天吊り型の室内機は、大きな室内に設置されることが多いので、冷気を室内においてより遠くまで到達させることが可能な本発明の構成は天吊り型に特に有効である。
【００１８】
前記送風機（２１）は遠心ファンであるのが好ましい。
【００１９】
この構成では、送風機（２１）が遠心ファンであるので、クロスフローファンなどと比較して冷気をより遠くまで到達させることができる。
【００２０】
前記第１のフラップ（２３）の外表面は、鉛直方向の断面が略円弧形状の凸面であるのが好ましい。
【００２１】
この構成では、第１のフラップ（２３）の外表面に結露などにより水滴が付着した場合、外表面が平面である場合と比較して、水滴が外表面を伝って第１のフラップ（２３）の下端部まで達しやすくなるので、水滴が外表面の下端部に達する前に室内の床方向に落下するのを抑制できる。これにより、第１のフラップ（２３）の下端部に達した水滴をケーシング（１７）の内部に容易に回収することができる。
【００２２】
本発明の空気調和装置は、上記した室内機（１１）と、室外機とを備えている。
【発明の効果】
【００２３】
以上説明したように、本発明によれば、冷房運転時に、第１のフラップにより吹出口の下部を閉じた状態とし、第２のフラップにより吹出口の上部を開いた状態とするので、吹出口の開口面積を大幅に小さくした状態で冷気を吹き出すことができる。これにより、冷気の風速が高められて冷気が室内の遠くまで到達するので、室内の温度分布が改善され、室内の温度ばらつきを小さくすることができる。しかも、冷気を室内の奥の方に到達させるだけの風速を維持しつつ風向きを変えることができるので、さらなる温度分布の改善が可能になる。
【発明を実施するための最良の形態】
【００２４】
以下、本発明の一実施形態について図面を参照しつつ詳細に説明する。図１は、本発明の一実施形態にかかる空気調和装置の室内機１１を示す斜視図であり、図２は、その断面図である。図１および図２はともに運転停止時の状態を示している。
【００２５】
図１および図２に示すように、本実施形態にかかる室内機１１は、ケーシング１７の天面１７ａが吊り下げ用ボルト３３により天井面Ｔに固定される天吊り型の室内機である。この室内機１１では、室内の空気を吸い込む吸込口１３がケーシング１７の底面１７ｂに設けられ、空気を吹き出す吹出口１５がケーシングの正面に設けられている。吸込口１３には吸込グリル１３ａが取り付けられている。
【００２６】
ケーシング１７内には、室内の空気を吸込口１３から吸い込み、吹出口１５から吹き出す送風機２１が吸込口１３の上部に配設されている。送風機２１としては、種々のタイプを用いることができるが、冷気をより遠くに到達させることができる点で、遠心ファンを用いるのが好ましく、中でもシロッコファンを用いるのがより好ましい。
【００２７】
ケーシング１７内における送風機２１と吹出口１５との間には、熱交換器１９が配設されている。これにより、ケーシング１７には、吸込口１３、送風機２１、熱交換器１９および吹出口１５の順に空気が流れる通風経路が形成されている。
【００２８】
ケーシング１７内の熱交換器１９の下方には、ドレンパン３５が設けられている。熱交換器１９が低温になりその表面に付着した水滴がドレンパン３５に集められ、このドレンパン３５に溜まった水が図略の排水ホースを通じて外部に排出される。
【００２９】
ケーシング１７の吹出口１５には、吹出口１５の下部を開閉可能な第１のフラップ２３と吹出口１５の上部を開閉可能な第２のフラップ２５がそれぞれ取り付けられている。第１のフラップ２３および第２のフラップ２５は、第１の回動軸２７および第２の回動軸２９によりそれぞれ支持されており、第１の回動軸２７および第２の回動軸２９を中心にそれぞれ回動可能である。
【００３０】
第１の回動軸２７および第２の回動軸２９はケーシング１７の側壁（図略）に支持されている。第１の回動軸２７および第２の回動軸２９は、軸方向が略水平方向に向くように配置されている。これらの回動軸２７，２９の取付位置は、第１のフラップ２３および第２のフラップ２５における前記軸方向に垂直な方向の略中央である。
【００３１】
第１のフラップ２３および第２のフラップ２５は、一方の主面（図２における内表面）が凹面で、他方の主面（図２における外表面）が凸面の略円弧形状である。後述する制御手段および駆動手段により、図２に示す運転停止時には、フラップ２３，２５の凹面がケーシング１７の内部に面し、凸面がケーシング１７の外部に面した状態で吹出口１５が第１のフラップおよび第２のフラップにより塞がれている。この運転停止時には、第１のフラップ２３の上端辺と第２のフラップの下端辺が対向し、これら２つのフラップが連なって１つの円弧のように配置されている。これにより、室内機１１の意匠性が向上し、また、室内機１１が停止していることが容易に判別できる。
【００３２】
また、第１のフラップ２３の外表面が上記した凸面であるので、第１のフラップ２３の外表面に結露などにより水滴が付着した場合、外表面が平面である場合と比較して、水滴が外表面を伝って第１のフラップ２３の下端部まで達しやすくなるので、水滴が外表面の下端部に達する前に室内の床方向に落下するのを抑制できる。これにより、第１のフラップ２３の下端部に達した水滴をケーシング１７内のドレンパン３５に容易に回収することができる。
【００３３】
本実施形態にように吹出口１５を２枚のフラップで開閉する構造を採用したことにより、意匠面での自由度も向上する。すなわち、本実施形態では、第１のフラップ２３と第２のフラップ２５は、ほぼ同じ形状と寸法に設計されているが、例えば一方の面積を他方よりも大きくしてもよく、一方のフラップを円弧状にして他方のフラップを平板状にしてもよい。本実施形態のように第１のフラップ２３と第２のフラップ２５をほぼ同じ形状と寸法にすることによって、後述する冷房運転時に、第１のフラップ２３により吹出口１５の下部を閉じると、冷気が吹き出す部分の面積を吹出口１５全体の開口面積から半減させることができる。
【００３４】
従来の天吊り型の室内機では、吹出口にフラップが設けられていないか、設けられている場合でもフラップは１つのみである。一方、本実施形態では、吹出口１５に上下２つのフラップ２３，２５を配置し、しかも、冷房運転時には第１のフラップ２３を閉じ第２のフラップ２５を開いた状態にして吹出口１５の開口面積を半減させるので、冷房運転時の風速を高くするという機能を維持しつつ、吹出口１５全体の開口面積を従来よりも大きくすることもできる。
【００３５】
これにより、後述する暖房運転時において第１のフラップ２３および第２のフラップ２５をほぼ同方向に向けて吹出口１５の上部および下部を両方とも開いた状態にしたときに、吹出口１５の開口面積が従来よりも大きくなる。したがって、本実施形態の室内機１１は、従来の室内機と比較して冷房運転時には吹出口１５の開口面積を小さくでき、暖房運転時には吹出口１５の開口面積を大きくできるので、吹出口１５の開口面積の可変範囲を従来よりも拡大することができる。
【００３６】
ケーシング１７の背面１７ｃと送風機２１との間には、スイッチボックス３７が配設されている。スイッチボックス３７には、フラップ２３，２５の駆動系などを制御する制御部（制御手段）、スイッチ類などが内蔵されている。
【００３７】
次に、本実施形態にかかる室内機１１の制御動作について説明する。図３は、室内機１１におけるフラップ２３，２５の駆動系を示すブロック図である。図３に示すように、第１のフラップ２３は、第１の回動軸２７を駆動させる第１の駆動モータ（駆動手段）４３により回動し、第２のフラップ２５は、第２の回動軸２９を駆動させる第２の駆動モータ（駆動手段）４５により回動する。第１の駆動モータ４３および第２の駆動モータ４５は、制御部４１の制御を受けて回転駆動する。
【００３８】
図１〜図３に示すように、制御部４１は、駆動モータ４３，４５を制御して、運転停止時にケーシング１７の吹出口１５のほぼ全体が第１のフラップ２３および第２のフラップ２５により塞がれた状態にする。
【００３９】
この運転停止状態で利用者が冷房運転のモードを開始させる指示を出したときには、図３および図４に示すように、制御部４１は、第１の駆動モータ４３を制御して第１のフラップ２３を運転停止時の位置のまま回動させないか、または第１のフラップ２３を運転停止時の位置から僅かに回動させるに留めて、吹出口１５の下部が閉じられた状態を維持する。一方で、制御部４１は、第２の駆動モータ４５を制御して第２のフラップ２５を運転停止時の位置から予め設定された所定の位置まで回動させて吹出口１５の上部を開く。これにより、吹出口１５から吹き出される空気の風速が高められる。この状態で冷房運転される。
【００４０】
第２のフラップ２５は、冷気を室内のできるだけ奥に到達させたい場合には、吹出口１５の上部から吹き出す冷気を略水平方向へ案内するように回動位置が調節されるのが好ましい。本実施形態にようにフラップが略円弧形状である場合、冷気を略水平方向へ案内する第２のフラップ２５の回動位置とは、図４に示すように第２のフラップ２５における幅方向に対向する両端辺が略水平に配置される位置をいう。なお、本実施形態では、第２のフラップ２５の凹面が下方に向けられ、凸面が上方に向けられているが、凹面が上方に向けられ、凸面が下方に向けられていてもよい。
【００４１】
図４に示すように、第１のフラップ２３は、その下端辺２３ａが吹出口１５の下方側の周縁部に対してほぼ隙間なく配置され、吹出口１５の下方側周縁部から斜め上方に向かって配置されている。第１のフラップ２３の凹面はケーシング１７の内部側に向き、凸面はケーシング１７の外部側に向いている。
【００４２】
また、例えば、利用者が後述する暖房運転のモード（図５）から冷房運転のモードに切り替える指示を出したときには、制御部４１は、第１の駆動モータ４３を制御して第１のフラップ２３を運転停止時と同じ位置またはその近傍に戻るまで回動させて吹出口１５の下部を閉じるとともに、第２の駆動モータ４５を制御して第２のフラップ２５を予め設定された所定の位置まで回動させて吹出口１５の上部を開く（図４）。この状態で冷房運転される。
【００４３】
また、第１のフラップ２３により吹出光１５の下部を閉じ、第２のフラップ２５を連続的にまたは断続的に回動させながら冷房運転することもできる。本実施形態では、第２のフラップ２５における第２の回動軸２９の取付位置は、第２の回動軸２９の軸方向に垂直な方向の略中央であるので、回動軸が第２のフラップの上端部に取り付けられている場合と比較して、第２のフラップ２５を回動させて第２のフラップ２５の向きを変えても吹出口１５の開口面積の変動を少なく抑えることができる。したがって、冷気の風速を維持しつつ風向きを変えることもできる。この場合、第１のフラップ２３は、その下端辺２３ａと吹出口１５の下方側の周縁部との間を通じて水滴をケーシング１７内に回収できる程度に、吹出口１５の下方側の周縁部との間に隙間を設けて配置するのがよい。
【００４４】
図５は、暖房運転時のフラップの位置を示している。利用者が暖房運転のモードを開始させる指示を出したときには、図３および図５に示すように、制御部４１は、駆動モータ４３，４５を制御して第１のフラップ２３および第２のフラップ２５を回動させ、フラップ２３，２５におけるケーシングの内部側の端辺を上部に配置し、ケーシングの外部側の端辺を下部に配置してフラップ２３，２５をほぼ同じ方向で、かつ、下方に傾斜させる。これにより、吹出口１５から吹き出される空気は下方ないし斜め下方に案内される。この状態で暖房運転される。
【００４５】
フラップ２３，２５の凹面および凸面の向きは、特に限定されるものではないが、空気の流れを下方ないし斜め下方に案内しやすいという点で、図５に示すように凸面を上方に向け、凹面を下方に向けるのが好ましい。
【００４６】
上記した室内機１１は、図略の室外機とともに空気調和装置として用いられる。
【００４７】
以上、本発明の一実施形態について説明したが、本発明は、上記実施形態に限られるものではなく、その趣旨を逸脱しない範囲で種々変更、改良等が可能である。例えば、上記実施形態では、ケーシングの吹出口に上下２枚のフラップが配設された形態を例に挙げて説明したが、本発明では、冷房運転時に少なくとも１枚のフラップを閉じた状態として吹出口の開口面積を小さくできればよいので、フラップは３枚以上設けられていてもよい。
【００４８】
上記実施形態では、天吊り型の室内機を例に挙げて説明したが、本発明は壁掛け型などの他の室内機にも適用することができる。
【００４９】
上記実施形態では、第１のフラップおよび第２のフラップの回動軸がともにフラップの略中央に配置されている場合を例に挙げて説明したが、第１のフラップの回動軸は、他の位置に配置されていてもよく、例えばフラップの長手方向に沿ってフラップの上端辺または下端辺の近傍に配置されていてもよい。
【００５０】
上記実施形態では、第１のフラップの外表面が断面略円弧状の外側に凸の曲面である場合を例に挙げて説明したが、第１のフラップの外表面はこのような曲面の他に、第１のフラップを屈曲させて断面をくの字状としたような外側に凸の外表面であってもよい。これらのような外側に凸の外表面であることにより、吹出口の下部を開閉する第１のフラップの下端部は、外表面が平面の場合と比較して、吹出口のより内部に配置されることになるので、第１のフラップの下端部まで達した水滴がケーシングの内部にさらに回収されやすくなる。
【図面の簡単な説明】
【００５１】
【図１】本発明の一実施形態にかかる天吊り型の室内機を示す斜視図である。
【図２】図１の室内機の概略断面図であり、運転停止時の状態を示している。
【図３】図１の室内機におけるフラップの駆動系を示すブロック図である。
【図４】図１の室内機の概略断面図であり、冷房運転時の状態を示している。
【図５】図１の室内機の概略断面図であり、暖房運転時の状態を示している。
【符号の説明】
【００５２】
１１  天吊り型の室内機
１３  吸込口
１５  吹出口
１７  ケーシング
１９  熱交換器
２１  送風機
２３  第１のフラップ
２５  第２のフラップ
２７  第１の回動軸
２９  第２の回動軸
３３  吊り下げ用ボルト
３５  ドレンパン
３７  スイッチボックス
【図１】
2010112600.tif 000003
【図２】
2010112600.tif 000004
【図３】
2010112600.tif 000005
【図４】
2010112600.tif 000006
【図５】
2010112600.tif 000007